(57)【特許請求の範囲】
【請求項１】
展開したときに四角形のシートが折畳まれ、折畳まれたシート折り体が複数重ねられて取出口を有する硬質または軟質の包装体内に収納されているシート収納体において、
前記シートが、前記四角形の一辺と平行な少なくとも１つのＸ軸折り線で折畳まれた後に、前記Ｘ軸折り線と直交またはほぼ直交する少なくとも１つのＹ軸折り線で折畳まれてシート折り体が形成され、前記シート折り体の両面には、前記Ｘ軸折り線と前記Ｙ軸折り線および自由状態の２つの縁部で囲まれた表面シート部分が現れており、
隣接する前記シート折り体どうしは、前記Ｘ軸折り線が互いに逆側に向くように組み合わされて、一方のシート折り体の前記表面シート部分とこれの内側に位置する内側シート部分との間に、他方のシート折り体の前記表面シート部分が挟まれていることを特徴とするシート収納体。
【請求項２】
前記シート折り体では、シートが１つの前記Ｘ軸折り線で折畳まれた後に、１つまたは２つ以上の前記Ｙ軸折り線で折畳まれている請求項１記載のシート収納体。
【請求項３】
前記シートには液が含浸されており、隣接する前記シート折り体では、前記表面シート部分どうしの面が前記液の存在により分離可能な強さで接着されている請求項１または２記載のシート収納体。
【請求項４】
一方のシートが前記取出口から引き出されるときに、包装体内に位置する次のシートの前記表面シート部分が、前記一方のシートに引きずられて、前記取出口から突出させられる請求項１ないし３のいずれかに記載のシート収納体。
【発明の詳細な説明】
【０００１】
【発明の属する技術分野】
本発明は、折畳まれたシートが複数重ねられて包装体に収納されており、前記包装体の取出口から前記シートが順次取出されるシート収納体に関する。
【０００２】
【従来の技術】
手ふき用、乳児のお尻拭き用、あるいはトイレットや台所の清掃用等に用いられるシートは、軟質または硬質の包装体内に収納されており、前記包装体に形成された取出口から１枚ずつ取出されるようになっている。また、前記シートに液が含浸されたウエットタイプのシートは、特に汚れを拭取るのに効果的である。
【０００３】
この種のシート収納体のうちいわゆるポップアップタイプでは、個々のシートが互いに組み合わされた状態で折畳まれており、折畳まれたシート折り体が複数重ねられて、前記包装体内に収納されている。
【０００４】
従来のポップアップタイプのシート収納体でのシート折り体の組み合わせ構造としては、例えば図９（Ａ）に示すように、展開状態で長方形のシートＳが１つの折り線６１によりＶ状に折畳まれて、シート部分Ｓ１とＳ２を有するシート折り体が形成されたものがある。この場合、隣接する一方のシート折り体のシート部分Ｓ１が、その上に位置するシート折り体のシート部分Ｓ１とシート部分Ｓ２との間に挟まれるように組み合わされる。
【０００５】
または、図９（Ｂ）に示すように、前記シートＳが２つの折り線６２と６３とでＺ状に折畳まれて、シート部分Ｓ３，Ｓ４，Ｓ５を有するシート折り体が形成される。そして、隣接する一方のシート折り体のシート部分Ｓ３が、その上に位置するシート折り体のシート部分Ｓ４とシート部分Ｓ５との間に挟まれている。
【０００６】
また、特開平１０−１７４６６３号公報に記載の発明では、図９（Ｃ）に示すように、前記シートＳが１つの折り線６４で２枚重ねに折られた後に、さらに前記折り線６４と直交する２つの折り線６５，６６によって、Ｚ状に折られている。このシート折り体では、それぞれが２枚重ねとなるシート部分Ｓ６，Ｓ７，Ｓ８が形成される。隣接するシート折り体では、２枚重ねのシート折り体Ｓ６が、その上に位置するシート折り体の２枚重ねのシート部分Ｓ７とＳ８との間に挟み込まれる。
【０００７】
このポップアップタイプのシート収納体では、取出口に対面しているシートが前記取出口から引き出されると、下位シートの一部が、先行のシートに追従して前記取出口から引きずられて突出させられる。例えば図９（Ａ）に示す従来例では、下位のシート折り体のシート部分Ｓ１が取出口から突出させられ、図９（Ｂ）では下位のシート折り体のシート部分Ｓ３が取出口から突出させられる。そして、図９（Ｃ）に示すものでは、下位のシート折り体の二枚重ねのシート部分Ｓ６が取出口から突出させられる。
【０００８】
特に前記シートがウエットシートの場合には、先行するシートと下位のシートとが液膜により接着された状態で、先行するシートに引きずられて下位のシート折り体の前記シート部分Ｓ１またはＳ３あるいはＳ６が取出口から突出しやすくなる。そして下位のシートが前記取出口からの抵抗を受けることにより、取出されたシートと下位のシートとが分離され、下位のシートの前記シート部分が前記取出口から突出した状態で包装体内に残る。下位のシートの一部が前記取出口から突出することにより、次にシートを包装体内から取出すときは、取出口から突出するシート部分を掴んで引き出すことができ、取出しが容易である。
【０００９】
【発明が解決しようとする課題】
しかし、図９（Ａ）に示すように、シートＳがＶ状に折畳まれたものでは、シート折り体の面積が、シートＳを展開したときの面積の約１／２であり、図９（Ｂ）に示すように、シートＳがＺ状に折畳まれたものでは、シート折り体の面積が、シートＳを展開したときの面積の約１／３である。よって、シート折り体の面積が大きく、前記シート折り体が重ねられた状態で包装体内に収納されたときに、前記包装体の面積が比較的大きくなって、携帯するのに不便である。
【００１０】
また、図９（Ｃ）に示す従来例では、シート折り体の面積が、展開したときのシートＳの面積のほぼ１／６となり、包装体を小型にでき携帯に適したものとなる。しかし、この発明では、シートＳが折り線６４によって２枚重ねに折られて２枚重ねのシート部分Ｓ６が形成されており、この２枚重ねのシート部分Ｓ６が、その上のシート部分Ｓ７とシート部分Ｓ８との間に挟まれている。そのため、上位のシートが取出口から取出されたときに、シート部分Ｓ６が２枚重ねのまま取出口から突出する。したがって、取出口から前記シート部分Ｓ６を掴んで引き出す際に、シートＳは折り線６４を介して２枚重ねに折られた状態でそのまま引き出される。
【００１１】
取出した状態でシートＳが２枚重ねに折られていると、拭取りに使用できる面積が小さくなり、取り扱い上不便である。また広い面積で拭取りを行なおうとするときには、２枚重ねの状態で取出されたシートを、折りを解消すべく手で展開させてから使用することが必要であり不便である。
【００１２】
本発明は上記従来の課題を解決するものであり、包装体に収納された状態で全体が小型であり、しかも包装体の取出口から、シートを折られていない状態で取出すことができるシート収納体を提供することを目的としている。
【００１３】
【課題を解決するための手段】
本発明は、展開したときに四角形のシートが折畳まれ、折畳まれたシート折り体が複数重ねられて取出口を有する硬質または軟質の包装体内に収納されているシート収納体において、
前記シートが、前記四角形の一辺と平行な少なくとも１つのＸ軸折り線で折畳まれた後に、前記Ｘ軸折り線と直交またはほぼ直交する少なくとも１つのＹ軸折り線で折畳まれてシート折り体が形成され、前記シート折り体の両面には、前記Ｘ軸折り線と前記Ｙ軸折り線および自由状態の２つの縁部で囲まれた表面シート部分が現れており、
隣接する前記シート折り体どうしは、前記Ｘ軸折り線が互いに逆側に向くように組み合わされて、一方のシート折り体の前記表面シート部分とこれの内側に位置する内側シート部分との間に、他方のシート折り体の前記表面シート部分が挟まれていることを特徴とするものである。
【００１４】
本発明では、シートがＸ軸折り線とＹ軸折り線とで折畳まれているため、シート折り体の面積が小さくなっている。よってシート折り体が重ねられた積層体の平面積が小さくなり、これを収納する包装体も小さくなる。また取出口から前記表面シート部分が引き出されることにより、各シートは折り畳みが解消されて展開された状態で取り出される。よって取り出したシートの折り畳みを解消するように展開することが不要になり、そのまま広い面積のシートとして拭き取りに使用することができる。
【００１５】
例えば、前記シート折り体では、シートが１つの前記Ｘ軸折り線で折畳まれた後に、１つまたは２つ以上の前記Ｙ軸折り線で折畳まれている。
【００１６】
前記のようにＸ軸折り線を１つにすることで、シート折り体の折り畳み構造を簡単にでき、さらにＹ軸折り線を１つまたは２つ以上に設定することにより、シート折り体の面積を小さくできる。
【００１７】
また、前記シートには液が含浸されており、隣接する前記シート折り体では、前記表面シート部分どうしの面が前記液の存在により分離可能な強さで接着されているものであってもよい。
【００１８】
液が含浸されたウエットシートでは、表面シート部分どうしが液により接着されているため、Ｘ軸折り線とＹ軸折り線とで折畳まれたコンパクトなシート折り体であっても、先行するシートに引かれて次のシートの前記表面シート部分が確実に取出口から突出できるようになる。
【００１９】
したがって、一方のシートが前記取出口から引き出されるときに、包装体内に位置する次のシートの前記表面シート部分が、前記一方のシートに引きずられて、前記取出口から突出させられるものとなる。
【００２０】
【発明の実施の形態】
図１と図２と図３は、本発明の第１の実施の形態のシート収納体のシート折り体を形成するための行程を順に示す斜視図、図４はシート積層体を示す斜視図、図５はシート積層体の第１のシートと第２のシートとの組み合わせ状態を示す説明図、図６は包装体にシート積層体が収納された状態を示す断面図、図７はシートの一部が包装体の取出口から突出した状態を示す断面図である。
【００２１】
図４および図５に示すシート積層体１は、第１のシート１０が折畳まれた第１のシート折り体１００と、第２のシート２０が折畳まれた第２のシート折り体２００が、互い違いに組み合わされて積層されている。
【００２２】
図１には、第１のシート１０と第２のシート２０とが展開された状態が示されている。折畳み前の展開された前記第１のシート１０は、四角形（長方形）であり、Ｘ軸方向に延びる短辺１１と１２の長さ寸法がＬｘ、Ｙ軸方向に延びる長辺１３と１４の長さ寸法がＬｙである。
【００２３】
前記第２のシート２０も折畳まれる前の展開状態で長方形であり、Ｘ軸方向に延びる短辺２１と２２の長さ寸法がＬｘ、Ｙ軸方向に延びる長辺２３と２４の長さ寸法がＬｙである。この実施の形態では、第１のシート１０と第２のシート２０が同じ大きさである。また第１のシート１０と第２のシート２０は同じ素材で形成され同じ厚みである。
【００２４】
本発明での展開状態のシート（実施の形態での第１のシート１０と第２のシート２０）とは、それぞれが四角形の１枚のシートのみで形成されているものに限定されるものではなく、四角形のシートが複数枚重ねられてＬｘ×Ｌｙの大きさの四角形となったもの、または面積の広いシートが複数枚重ねとなるように折られてＬｘ×Ｌｙの大きさの四角形となったものなどを全て含む。以下において、シートの折り線、長辺、短辺、縁部、シート部分などの説明は、それぞれが１枚のシートのみで形成されているものに限定されず、前記のように複数枚重ね、または複数枚重ねに折られたＬｘ×Ｌｙの寸法の四角形のシートにおいて、複数枚のシートが折られた折り線、複数枚のシートで形成される長辺、短辺、縁部、および複数枚のシートが重ねられたシート部分を含む。
【００２５】
前記両シート１０，２０は、パルプなどの天然繊維、またはレーヨンなどの再生セルロース繊維、あるいはポリエチレン、ポリプロプレン、ポリエステルなどの合成繊維、ポリエチレンとポリプロプレン、ポリエチレンとポリエステルとの複合合成繊維など、またはこれら各種繊維の組み合わせにより形成される。第１のシート１０と第２のシート２０は、前記繊維で形成されたウエッブにウォータジェット処理を施したスパンレース不織布、あるいは他の工程で形成された不織布である。または前記天然繊維または前記再生セルロース繊維、あるいは前記両繊維から抄紙された紙である。
【００２６】
前記第１のシート１０と第２のシート２０は、多量の水が与えられたときに繊維どうしがばらばらになる水解性であってもよい。例えば水解性の不織布または紙は、繊維がばらばらになる組み合わせ構造を有し、且つ水溶性または水膨潤性のカルボキシメチルセルロース（ＣＭＣ）、ポリビニルアルコールなどのバインダーが含まれているものである。または、繊維長の短いレーヨン繊維などを用い、ウォータジェットで繊維を交絡させた不織布で前記水溶性または水膨潤性のバインダーを含まないものとしても構成できる。この水解性の不織布は、多量の水が与えられたときに繊維長の短い前記セルロース繊維などの繊維どうしの交絡がほぐれて水解する。この場合の前記セルロース繊維などの繊維長は１０ｍｍ以下が好ましく、さらに好ましくは７ｍｍ以下である。あるいは、前記水解性シートとして、レーヨン繊維やパルプにフィブリル化レーヨンが含まれ、前記フィブリル化レーヨンをバインダーとして機能させた紙または不織布などであってもよい。
【００２７】
図４に示すシート積層体１を形成するには、まず図１に示すように、第１のシート１０と第２のシート２０とをＸ方向に並べ、第１のシート１０の長辺１３，１４と、第２のシート２０の長辺２３，２４とが平行となるように配置する。このとき、各第２のシート２０は、その両側に位置する２枚の第１のシート１０と１０の双方に同じ重ね合わせ面積で重なるように設置される。第１のシート１０と第２のシート２０との重ね合わせ領域のＸ軸方向の長さ寸法をＬａ、Ｙ軸方向の長さ寸法をＬｂとしたときに、Ｌａ×Ｌｂの面積は、第１のシート１０と第２のシート２０の展開状態での面積Ｌｘ×Ｌｙのほぼ１／４または１／４以下である。
【００２８】
前記Ｌｂを前記Ｌｙの１／２に設定すると、第２のシート２０の短辺２２が、第１のシート１０の長辺１３と１４を二分する中心線ＯＸ１に一致し、第１のシート１０の短辺１２が、第２のシート２０の長辺２３と２４を二分する中心線ＯＸ２と一致する。さらに、この状態で、隣り合う第１のシート１０どうしの長辺１３と長辺１４との間の隙間を無くし、同様に隣り合う第２のシート２０どうしの長辺２３と長辺２４との間の隙間を無くすと、ＬａがＬｘの１／２となり、重ね合わせ領域の面積Ｌａ×Ｌｂが、シートの面積Ｌｘ×Ｌｙの１／４となる。
【００２９】
例えば、両シート１０，２０の長辺の長さ寸法Ｌｙが２００ｍｍ、短辺の長さ寸法Ｌｘが１５０ｍｍの場合、重ね合わせ部の長辺の長さ寸法Ｌｂは８０〜１００ｍｍ（Ｌｙ／２の８０〜１００％）、重ね合わせ部の短辺の長さ寸法Ｌａは６０〜７５ｍｍ（Ｌｘ／２の８０〜１００％）であることが好ましい。
【００３０】
第１のシート１０と第２のシート２０が図１の状態で組み合わされた後に、図２に示すように、第１のシート１０が、前記中心線ＯＸ１と一致するＸ軸折り線Ｘａを介して２枚重ねに折られ、第１のシート１０の短辺１１と短辺１２とがほぼ一致するようにその平面積がほぼ１／２となるように畳り畳まれる。このとき、第１のシート１０の長辺１３から二分された縁部１３ａと１３ｂが、第２のシート２０を挟んで重ねられ、同様に、長辺１４から二分された縁部１４ａと縁部１４ｂが、第２のシート２０を挟んで重ねられる。
【００３１】
次に、図３に示すように、第２のシート２０が、前記中心線ＯＸ２と一致するＸ軸折り線Ｘｂで折られ、第２のシート２０の短辺２１と２２とがほぼ一致するようにその平面積がほぼ１／２となるように折り畳まれる。このとき、第２のシート１０の長辺２３から二分された縁部２３ａと縁部２３ｂが、第１のシート１０の一部を挟んで重ねられ、同様に、長辺２４から二分された縁部２４ａと縁部２４ｂが、第１のシート１０の一部を挟んで重ねられる。
【００３２】
図３において、第１のシート１０の短辺１１と１２を二分する中心線をＯｙ１、第２のシート２０の短辺２１と２２を二分する中心線をＯｙ２とする。図３の右端の中心線Ｏｙ１と第１のシート１０の右端の縁部１３ａ，１３ｂとで挟まれた部分を区分（ｉ）、中心線Ｏｙ１と中心線Ｏｙ２とで挟まれた部分をそれぞれ区分（ｉｉ）（ｉｉｉ）（ｉｖ）（ｖ）とし、図の左端の中心線Ｏｙ１と、第１のシート１０の左端の縁部１４ａ，１４ｂとで挟まれた部分を区分（ｉｖ）とする。
【００３３】
図３の状態から、区分（ｉ）と区分（ｉｉ）とを前記中心線Ｏｙ１に沿う第１のＹ軸折り線Ｙａで折って、区分（ｉｉ）を区分（ｉ）の下側に重ねる。次に、区分（ｉｉ）と区分（ｉｉｉ）とを前記中心線Ｏｙ２に沿う第２のＹ軸折り線Ｙｂで折って、区分（ｉｉｉ）を区分（ｉｉ）の下側に重ねる。さらに、区分（ｉｉｉ）と区分（ｉｖ）とを前記第１のＹ軸折り線Ｙａで折って、区分（ｉｖ）を区分（ｉｉｉ）の下側に重ねる。これを順に繰り返して、図３に示す帯状のシート組合せ体をジグザグに折ることにより、第１のシート１０から４枚重ねに折畳まれた第１の折り体１００と、第２のシート２０から４枚重ねに折畳まれた第２の折り体２００とが、交互に積層されて、図４に示す前記シート積層体１が形成される。
【００３４】
図５は、図４に示すシート積層体１の第１のシート折り体１００と、第２のシート折り体２００との組み合わせ状態を説明するために、両シート折り体１００と２００を分離して示している。
【００３５】
図５に示すように、第１のシート折り体１００は、前記第１のＹ軸折り線Ｙａによって、第１のシート１０の長辺１１と１２が二分されるように折畳まれている。第１のシート折り体１００では、長辺１１が二分されて縁部１１ａと１１ｂとなり、長辺１２が二分されて縁部１２ａと１２ａとなる。
【００３６】
第１のシート折り体１００の上側の面には、表面シート部分１０１が現れている。この表面シート部分１０１は、Ｘ軸折り線Ｘａの一部と、第１のＹ軸折り線Ｙａと、自由状態にある縁部１１ａおよび縁部１３ｂで囲まれた四角形、すなわち、Ｘ軸折り線Ｘａの一部、第１のＹ軸折り線Ｙａ、縁部１１ａおよび縁部１３ｂが４辺となる四角形である。同様に、第１のシート折り体１００の下面には表面シート部分１０３が現れている。この下面側の表面シート部分１０３は、Ｘ軸折り線Ｘａの一部と、第１のＹ軸折り線Ｙａと、自由状態にある縁部１１ｂおよび縁部１４ｂで囲まれた四角形である。
【００３７】
また、上側の前記表面シート部分１０１の内側には内側シート部分１０２が存在している。この内側シート部分１０２は、Ｘ軸折り線Ｘａの一部と、第１のＹ軸折り線Ｙａと、自由状態の縁部１２ａおよび縁部１３ａで囲まれた四角形である。下側の前記表面シート１０３の内側には内側シート部分１０４が位置している。この内側シート部分１０４は、Ｘ軸折り線Ｘａの一部と、第１のＹ軸折り線Ｙａと、自由状態の縁部１２ｂおよび縁部１４ａで囲まれた四角形である。
【００３８】
同様に、第２のシート折り体２００の上面には表面シート部分２０１が現れている。この表面シート部分２０１は、Ｘ軸折り線Ｘｂの一部と、第２のＹ軸折り線Ｙｂと、自由状態にある縁部２２ａおよび縁部２３ａで囲まれた四角形である。第２のシート折り体２００の下面には表面シート部分２０３が現れている。この表面シート部分２０３は、Ｘ軸折り線Ｘｂの一部と、第２のＹ軸折り線Ｙｂと、自由状態にある縁部２２ｂおよび縁部２４ａで囲まれた四角形である。
【００３９】
また、上側の前記表面シート部分２０１の内側には内側シート部分２０２が存在している。この内側シート部分２０２は、Ｘ軸折り線Ｘｂの一部と、第２のＹ軸折り線Ｙｂと、自由状態の縁部２１ａおよび縁部２３ｂで囲まれた四角形である。下側の前記表面シート２０３の内側には内側シート部分２０４が位置している。この内側シート部分２０４は、Ｘ軸折り線Ｘｂの一部と、第２のＹ軸折り線Ｙｂと、自由状態の縁部２１ｂおよび縁部２４ｂで囲まれた四角形である。
【００４０】
図４と図５に示すように、シート積層体１では、第１のシート折り体１００のＸ軸折り線Ｘａと、第２のシート折り体２００のＸ軸折り線Ｘｂとが互いに逆向きになり、且つ第１のシート折り体１００の第１のＹ軸折り線Ｙａと、第２のシート折り体２００の第２のＹ軸折り線Ｙｂとが互いに逆向きとなるように組み合わされる。
【００４１】
第１のシート折り体１００とその下に位置する第２のシート折り体２００との組み合わせでは、第１のシート折り体１００の下側の表面シート部分１０３と、その上に位置する内側シート部分１０４との間に、第２のシート折り体２００の上側の表面シート部分２０１が挟み込まれている。よって、第１のシート折り体１００の下側の表面シート部分１０３は、第２のシート折り体２００における上側の表面シート部分２０１と、内側シート部分２０２との間に挟み込まれていることになる。
【００４２】
第２のシート折り体２００と、その下に位置する第１のシート折り体１００との組み合わせでは、第２のシート折り体２００の下側の表面シート部分２０３が、第１のシート折り体１００における上側の表面シート部分１０１と内側シート部分１０２との間に挟まれている。よって、第１のシート折り体１００の上側の表面シート部分１０１は、第２のシート折り体２００における下側の表面シート部分２０３と内側シート部分２０４との間に挟み込まれていることになる。
【００４３】
なお、図１ないし図３では、第１のシート１０と第２のシート２０の合計枚数が５枚であり、図３では前記区分が６区分であるが、実際のシート包装体では、第１のシート１０と第２のシート２０の合計枚数が３０枚以上で１００枚以下が通常である。ただし枚数は前記範囲に限られるものではない。
【００４４】
図４に示すシート積層体１は、図６に示す包装体３０の内部に収納される。前記包装体３０は、例えば軟質な包材でピロー包装形態とされたものである。前記包材は、前記第１のシート１０と前記第２のシート２０に含浸された液が蒸発しないように気密性を保てる材料で形成されており、好ましくは、ポリエチレンテレフタレート、ポリプロピレンなどの樹脂フィルムにアルミニウム箔などの金属箔がラミネートされ、その内面にシーラント層としてポリエチレンフィルム層が設けられたものなどである。ピロー包装形態では、前記包材により前記シート積層体１が包まれた状態で、前記包材どうしが前記シーラント層を介して熱シールされて縦シール部と横シール部が形成され、シート積層体１を内部に密封できる袋状の包装体３０が形成される。
【００４５】
前記包装体３０には前記包材の一部を切り取ることで形成される取出口３１が設けられている。また包装体３０の外面には、前記取出口３１を覆う軟質な蓋材３２が繰り返し剥離可能な感圧接着層を介して接着されている。前記蓋材３２も、包装体３０の内部に位置するシート１０，２０に含浸された液が蒸発しにくいように、密閉性を保ちやすい材料、例えばポリプロピレンフィルムなどを主体とした積層シートなどで形成されている。
【００４６】
また、前記包装体３０はプラスチックや厚紙などで形成された硬質容器であってもよい。この場合、取出口３１には、同じくプラスチックや厚紙などで形成された蓋体が開閉自在に設けられる。
【００４７】
包装体３０の内部に収納される前記シート積層体１を構成する第１のシート１０と第２のシート２０には、液が含浸されている。この液は例えばプロピレングリコールを６質量％、メチルパラペンを０．２質量％、エチルパラペンを０．１質量％、残部がイオン交換水で形成されているものであり、シート積層体１の質量の２００〜３００％の質量比で与えられる。
【００４８】
第１のシート１０と第２のシート２０に液が含浸されている状態では、第１のシート折り体１００の下側の表面シート部分１０３と、第２のシート折り体２００の上側の表面シート部分２０１の面どうしの対向部に液が介在し、この液膜の表面張力または両面の間の液の毛細管作用により表面シート部分１０３と表面シート部分２０１とが、分離可能に接着されている。同様に、第２のシート折り体２００の下側の表面シート部分２０３と、その下に位置する第１のシート折り体１００の上側の表面シート部分１０１も、その面どうしが液を介して接着された状態となっている。
【００４９】
図６に示すように、シート積層体１が包装体３０の内部に収納されたシート収納体２では、シート積層体１の最上部に位置する第１のシート折り体１００の表面シート部分１０１が、包装体３０の取出口３１の内側に対面する。または最上部が第２のシート折り体２００の場合には、その表面シート部分２０１が、取出口３１の内側に対面する。
【００５０】
シート収納体２を最初に使用する際に、蓋材３２を剥がすと、第１のシート折り体１００の表面シート部分１０１が取出口３１に対向しており、取出口３１から指を入れると、最上部の第１のシート折り体１００の表面シート部分１０１を掴むことができる。この表面シート１０１を掴んで第１のシート折り体１００を構成する第１のシート１０を引き出すと、このシート折り体１００の下側の表面シート部分１０３の上に第２のシート折り体２００の表面シート部分２０１が液を介して接着されているため、取出される第１のシート１０に引きずられて第２のシート折り体２００の表面シート部分２０１が取出口３１から一緒に引き上げられる。
【００５１】
さらに第１のシート１０が外部へ引き出されるときに、包装体３０の内部に有る第２のシート折り体２００が取出口３１の縁部によって抵抗を受ける。この抵抗力によって、取出される第１のシート折り体１００の表面シート部分１０３と、第２のシート折り体２００の表面シート部分２０１とが分離される。その結果、第１のシート１０が包装体３０の外部に完全に取出された後に、図７に示すように、包装体３１の内部に位置する第２のシート折り体２００の表面シート部分２０１、または前記表面シート部分２０１および内側シート部分２０２の一部が、折りが解消された状態で取出口３１から突出した状態となる。
【００５２】
次に使用するときは、取出口３１から突出している前記表面シート部分２０１が指で掴まれて引き出される。このとき、表面シート部分２０１は、内側シート部分２０２と重ならない状態で指で掴まれて引き上げられるため、第２のシート折り体２００は、その折りが解消されて展開された第２のシート２０の状態で包装体３０の外部に取り出される。取出された第２のシート２０は、折畳まれていない状態であるため、手で折り部分を開いて展開する必要がなく、そのまま広い面積のシート２０として拭取りに使用することができる。
【００５３】
なお、前記第２のシート折り体２００を構成する第２のシート２０が取出された後は、その下に位置する第１のシート折り体１００の表面シート部分１０１、または表面シート部分１０１と内側シート部分１０２の一部が取出口３１から引き出されて突出し、次の取出しを待機する状態となる。これが繰り返されて、シート積層体１では、取出口３１に近い側のシートが取出される度に、次のシート折り体の表面シート部分が取出口３１から突出するようになる。
【００５４】
図８は本発明の第２の実施の形態におけるシート積層体１Ａのシートの組み合わせ構造を示す斜視図である。
【００５５】
図８では、四角形の第１のシート４０が折畳まれて第１の折り体４００が形成され、同じく四角形の第２のシート５０が折畳まれて第２のシート折り体５００が形成されている。前記第１のシート４０と第２のシート５０は互いに同じ寸法であり、また同じ材質および厚みも同じである。またこの実施の形態での第１のシート４０と第２のシート５０は、前記第１の実施の形態での第１のシート１０および第２のシート２０と同じ大きさであり、また同じ材質で且つ同じ厚みである。
【００５６】
図８に示すシート積層体１Ａの第１のシート折り体４００は、１つのＸ軸折り線Ｘ１を介して２枚重ねに折畳まれた後に、２つのＹ軸折り線Ｙ１とＹ２とで、側方から見たときにＺ状に折られている。その結果、シート折り体４００の上側の面では、Ｘ軸折り線Ｘ１の一部と、Ｙ軸折り線Ｙ１と、２つの自由状態の縁部４１ａおよび４１ｂで囲まれた表面シート部分４０１が現れている。また下側の面には、Ｘ軸折り線Ｘ１の一部と、Ｙ軸折り線Ｙ２と、自由状態の縁部４２ｃおよび４２ｄで囲まれた表面シート部分４０３が現れている。
【００５７】
また、上の表面シート部分４０１の内側には内側シート部分４０２が位置しており、この内側シート部分４０２は、Ｘ軸折り線Ｘ１の一部と、Ｙ軸折り線Ｙ１と、自由状態の縁部４２ａおよび４２ｂで囲まれた四角形である。同様に、下側の表面シート部分４０３の内側には、内側シート部分４０４が位置している。この内側シート部分４０４は、Ｘ軸折り線Ｘ１の一部と、Ｙ軸折り線Ｙ２と、２つの自由状態の縁部４１ｃおよび４１ｄで囲まれた四角形状である。
【００５８】
第２のシート折り体５００では、第２のシート５０がＸ軸折り線Ｘ２によって２枚重ねに折られた後に、２つのＹ軸折り線Ｙ３とＹ４とで、側方から見たときにＺ状となるように折畳まれている。そして、上側の面には、Ｘ軸折り線Ｘ２の一部と、Ｙ軸折り線Ｙ３と、自由状態の縁部５１ａおよび５１ｂとで囲まれた四角形の表面シート部分５０１が現れており、その内側には、Ｘ軸折り線Ｘ２の一部と、Ｙ軸折り線Ｙ３と、自由状態の縁部５２ａおよび５２ｂで囲まれた内側シート部分５０２が位置している。
【００５９】
第２のシート折り体５００の下側の面にも、同様にＸ軸折り線Ｘ２の一部と、Ｙ軸折り線Ｙ４と、自由状態の縁部とで囲まれた四角形の表面シート部分５０３が現れており、これよりも内側には同様に形成された内側シート部分５０４が現れている。
【００６０】
第１のシート折り体４００と、第２のシート折り部５００は、Ｘ軸折り線Ｘ１とＸ２が互いに逆に向けられ、Ｙ軸折り線Ｙ２とＹ３が互いに逆に向けられた状態で組み合わされる。このとき、第１の折り体４００の下側の表面シート部分４０３が、第２のシート折り体５００の上側の表面シート部分５０１と、内側シート部分５０２との間に挟まれている。そして第２のシート折り体５００の上側の表面シート部分５０１が、第１のシート折り体４００の下側の表面シート部分４０３と内側シート部分４０４との間に挟まれている。
【００６１】
また、第２のシート折り体５００と、その下側に位置する第１のシート折り体４００との関係では、第１のシート折り体４００の上側の表面シート部分４０１が、第２のシート折り体５００の下の表面シート部分５０３と内側シート部分５０４との間に挟まれている。
【００６２】
図８に示すように第１のシート折り体４００と第２のシート折り体５００との組み合わせは、図１ないし図３に示したのと同じ行程を経ることにより形成することが可能である。
【００６３】
この場合、第１のシート４０と第２のシート５０とが、図１のように並べられる際に、第１のシート４０どうしのＸ軸方向の間隔、および第２のシート５０どうしのＸ軸方向の間隔を広くし、第１のシート４０と第２のシート５０との重なり部のＸ軸方向の長さ寸法（図１のＬａ）を、両シート４０と５０のＸ軸方向の長さ寸法（図１のＬｘ）の１／３、またはそれ以下としておく。よって両シート４０と５０との重なり領域の面積（図１のＬａ×Ｌｂ）は、展開した両シート４０と５０の面積の１／６、またはそれ以下となる。
【００６４】
そして、第１のシート４０を図２と同様に折畳み、その後に第２のシート５０を図３と同様に折畳む。シート４０とシート５０との重なり部以外の部分で、第１のシート４０を２つのＹ軸折り線Ｙ１とＹ２で折り、第２のシート５０を２つのＹ軸折り線Ｙ３とＹ４とで折畳むことにより、図８に示す第１のシート折り体４００と第２のシート折り体５００とが組み合わされたシート積層体１Ａを形成することができる。
【００６５】
この場合も、包装体３０の取出口３１から第１のシート４０を取出すと、その次に位置している第２のシート折り体５００の表面シート部分５０１が取出口３１から突出する。この突出した表面シート部分５０１を引き出すと、第２のシート５０は折り畳みが解消された状態で包装体３０の外部に取り出されるようになる。
【００６６】
なお、本発明は前記第１と第２の実施の形態に限られるものではなく、第１のシート折り体と第２のシート折り体は、その両面にＸ軸折り線と、Ｙ軸折り線と、２つの自由状態の縁部で囲まれた表面シート部分が現れるならばどのような折り畳み構造であってもよい。
【００６７】
例えば、第１のシート折り体と第２のシート折り体を形成する際に、第１のシートおよび第２のシートを、それぞれ２つのＸ軸折り線でＺ形状に折り、その後に１つまたは２つのＹ軸折り線で折るようにしても、第１のシート折り体と第２のシート折り体の表面シート部分どうしを互い違いに組合せることが可能である。
【００６８】
このように、図４と図５に示す実施の形態では、シート積層体１の面積を、両シートの展開状態での面積の１／４、またはこれよりもやや広い程度の面積で構成でき、図８に示す実施の形態では、シート積層体１Ａを、両シートの展開状態での面積の１／６、またはこれよりもやや広い程度の面積にでき、包装体３０で包まれたものを小型にできる。
【００６９】
しかも、個々のシートを取出すときには、シートを折りが解消された状態で引き出すことができ、そのまま広い面積のシートとして、汚れの拭取りに使用することができる。
【００７０】
なお、本発明は、ウエットタイプのシートに限られず、乾燥状態で収納されるシートをポップアップ可能に組合せるものとしても実施できる。
【００７１】
【発明の効果】
このように、本発明のシート収納体は、平面形状を小さくでき、しかもシートを折りを解消した状態で取出口から取出すことができ、取出し後に折りを展開する必要なく、広い面積のものとして使用することができる。
【図面の簡単な説明】
【図１】本発明の第１の実施の形態において、第１のシートと第２のシートを展開状態で組合せた状態を示す斜視図、
【図２】図１の行程の次に第１のシートを折畳んだ状態を示す斜視図、
【図３】図２の行程の次に第２のシートを折畳んだ状態を示す斜視図、
【図４】第１の実施の形態のシート積層体を示す斜視図、
【図５】第１の実施の形態のシート積層体の組み合わせ状態を示すものであり、第１のシート折り体と第２のシート折り体を分離して示した斜視図、
【図６】第１の実施の形態のシート積層体が包装体に収納された状態を示す断面図、
【図７】取出口からシートが取出された状態を示す断面図、
【図８】第２の実施の形態のシート収納体での、第１のシート折り体と第２のシート折り体の組み合わせを示す斜視図、
【図９】（Ａ）（Ｂ）（Ｃ）は、従来のシート積層体の組み合わせ構造を示す斜視図、
【符号の説明】
１，１Ａ  シート積層体
２  本発明のシート収納体
１０  第１のシート
１１，１２  短辺
１１ａ，１１ｂ，１２ａ，１２ｂ  縁部
１３，１４  長辺
１３ａ，１３ｂ，１４ａ，１４ｂ  縁部
２０  第２のシート
２１，２２  短辺
２１ａ，２１ｂ，２２ａ，２２ｂ  縁部
２３，２４  長辺
２３ａ，２３ｂ，２４ａ，２４ｂ  縁部
３０  包装体
３１  取出口
１００，４００  第１のシート折り体
１０１，１０３，４０１，４０３  表面シート部分
１０２，１０４，４０２，４０４  内側シート部分
２００，５００  第２のシート折り体
２０１，２０３，５０１，５０３  表面シート部分
２０２，２０４，５０２，５０４  内側シート部分
Ｘａ，Ｘｂ，Ｘ１，Ｘ２  Ｘ軸折り線
Ｙａ，Ｙｂ，Ｙ１，Ｙ２，Ｙ３，Ｙ４  Ｙ軸折り線
【図１】
0003761075.tif 000002
【図２】
0003761075.tif 000003
【図３】
0003761075.tif 000004
【図４】
0003761075.tif 000005
【図５】
0003761075.tif 000006
【図６】
0003761075.tif 000007
【図７】
0003761075.tif 000008
【図８】
0003761075.tif 000009
【図９】
0003761075.tif 000010